(57)【要約】【課題】水道水に含まれる析出物及び異物によりフロート式水位検知器のフロートの上下動が阻害され、水位検知が正常に行えない。【解決手段】本発明にかかる燃料電池システムは原料と酸素を含む酸化剤ガスとが供給されて発電が行われる燃料電池１０１と、燃料電池１０１に酸化剤ガスを供給する酸化剤ガス供給器１０３と、燃料電池１０１から排出される酸化剤排ガスを大気中に排出する排ガス流路１０５と、排ガス中の水分が凝縮した凝縮水を貯える水タンク１０７と、フロートを用いて水タンク１０７内の水位を検知するフロート式水位検知器１０８と、酸化剤ガス供給器１０３を制御する制御器１０９とを備える。制御器１０９は、水が抜かれた水タンク１０７に水の供給を開始した後、第１の時間経過した場合、又は、フロート式水位検知器１０８が検知する水位が第２の時間経過しても上がらない場合に、酸化剤ガス供給器１０３を動作させる特定動作を行う。【選択図】図１
2014137874.tif 000002
【特許請求の範囲】
【請求項１】
原料と酸素を含む酸化剤ガスとが供給されて発電が行われる燃料電池モジュールと、
前記燃料電池モジュールに酸化剤ガスを供給する酸化剤ガス供給器と、
前記燃料電池モジュールから排出される酸化剤排ガスを大気中に排出する排ガス流路と、
前記排ガス流路中の水分が凝縮した凝縮水を貯える水タンクと、
フロートを用いて前記水タンク内の水位を検知する水位検知器と、
前記酸化剤ガス供給器を制御する制御器と、
を備え、
前記制御器は、水が抜かれた前記水タンクに水の供給を開始した後、第１の時間経過した場合、又は、前記水位検知器が検知する前記水位が第２の時間経過しても上がらない場合に、前記酸化剤ガス供給器を動作させる特定動作を行うよう制御する、
燃料電池システム。
【請求項２】
前記水タンクに水を供給する給水経路と、前記給水経路に設けられた弁と、をさらに備える、請求項１に記載の燃料電池システム。
【請求項３】
原料と酸素を含む酸化剤ガスとが供給されて発電が行われる燃料電池モジュールと、
前記燃料電池モジュールに酸化剤ガスを供給する酸化剤ガス供給器と、
前記燃料電池モジュールから排出される酸化剤排ガスを大気中に排出する排ガス流路と、
前記排ガス流路中の水分が凝縮した凝縮水を貯える水タンクと、
フロートを用いて前記水タンク内の水位を検知する水位検知器と、
前記酸化剤ガス供給器を制御する制御器と、
前記水タンクに水を供給する給水経路と、
前記給水経路に設けられた流量計と、
前記給水経路に設けられた弁と、
を備え、
前記制御器は、水が抜かれた前記水タンクに所定の水量の水を供給した場合、又は、所定の水量の水を供給し、前記水位検知器が検知する前記水位が上がらない場合に、前記酸化剤ガス供給器を動作させる特定動作を行うよう制御する、
燃料電池システム。
【請求項４】
前記特定動作は、前記酸化剤ガス供給器の出力を調整し、前記水タンク内にかかる圧力を変動させる動作である、請求項１〜３のいずれか１つに記載の燃料電池システム。
【請求項５】
前記特定動作の後、第３時間経過した場合、又は、前記水位検知器が検知する前記水位が第４時間経過しても上がらない場合に、再度前記特定動作を行う、請求項１〜４のいずれか１つに記載の燃料電池システム。
【請求項６】
原料と酸素を含む酸化剤ガスとが供給されて発電が行われる燃料電池モジュールと、
前記燃料電池モジュールに酸化剤ガスを供給する酸化剤ガス供給器と、
前記燃料電池モジュールから排出される酸化剤排ガスを大気中に排出する排ガス流路と、
前記排ガス中の水分が凝縮した凝縮水を貯える水タンクと、
フロートを用いて前記水タンク内の水位を検知する水位検知器と、
を備える燃料電池システムの運転方法であって、
前記水タンクの水を抜くステップと、
水が抜かれた前記水タンクに水を供給するステップと、
前記水の供給を開始してから、第１の時間経過した場合、又は、前記水位検知器が検知する前記水位が第２の時間経過しても上がらない場合に、前記酸化剤ガス供給器を動作させる特定動作を行うステップと、
を備える、燃料電池システムの運転方法。
【請求項７】
原料と酸素を含む酸化剤ガスとが供給されて発電が行われる燃料電池モジュールと、
前記燃料電池モジュールに酸化剤ガスを供給する酸化剤ガス供給器と、
前記燃料電池モジュールから排出される酸化剤排ガスを大気中に排出する排ガス流路と、
前記排ガス中の水分が凝縮した凝縮水を貯える水タンクと、
フロートを用いて前記水タンク内の水位を検知する水位検知器と、
を備える燃料電池システムの運転方法であって、
前記水タンクの水を抜くステップと、
水が抜かれた前記水タンクに所定の水量の水を供給するステップと、
所定の水量の水を供給した場合、又は、所定の水量の水を供給し、前記水位検知器が検知する前記水位が上がらない場合に、前記酸化剤ガス供給器を動作させる特定ステップと、
を備える、燃料電池システムの運転方法。
【請求項８】
前記特定ステップは、前記酸化剤ガス供給器の出力を調整し、前記水タンク内にかかる圧力を変動させるステップである、請求項６又は７に記載の燃料電池システムの運転方法。
【請求項９】
前記特定ステップの後、第３時間経過した場合、又は、前記水位検知器が検知する前記水位が第４時間経過しても上がらない場合に、再度前記特定ステップを行う、請求項６〜８のいずれか１つに記載の燃料電池システムの運転方法。
【発明の詳細な説明】
【技術分野】
【０００１】
本発明は、燃料ガスと酸化剤ガスとの電気化学反応により発電を行う燃料電池システムに関するものである。
【背景技術】
【０００２】
従来、この種の燃料電池システムは水素を含む燃料ガスと空気中の酸素を酸化剤ガスとして用い電気化学反応によって発電を行い、同時に水と熱を取り出すシステムである。
【０００３】
こうした燃料電池システムは、都市ガス等の原料ガスと水を反応させて改質し水素を生成する水素生成器を備える。ここでの反応は水蒸気改質反応と呼ばれ、水素生成器に内蔵されたバーナーにより温度を上昇さることで反応を進行させる。バーナーには原料ガスや燃料電池を通過した電気化学反応に用いられなかった燃料ガス（以下オフガス）が供給され、燃焼する。また、燃料電池システムでは酸化剤ガスとして空気を送り込む空気供給器（空気ブロア）を備えている。さらに、例えば特許文献１のようにバーナーで燃焼した後の排ガスに含まれる水分や燃料電池本体で電気化学反応により生成した水分を凝縮させる熱交換器やその凝縮した水を回収する回収水タンクを持つ構成が知られている。ここで、図３は特許文献１に記載の従来の燃料電池システムの概略を示した構成図である。図３に示すように燃料電池システム１のアノード側（図示せず）では水素生成器３から供給された燃料ガスが燃料電池２の燃料ガス内部流路２ａを通り、燃焼器３ａに送られバーナーによって燃焼される。一方、カソード側（図示せず）では酸化剤ガス供給器１０３により酸化剤ガスを燃料電池２に供給し、燃料電池２の燃料ガス内部流路２ｂを通過した後、排ガス中に含まれる水分を凝縮させるため酸化剤排ガス熱交換器１１を通過させる。ここで凝縮した水を回収するため、排ガスを一旦水タンク６に導入しその後大気中に排出する。ここで、水タンク６には水位検知器１９が備えられており水タンクに貯水した水の水位を監視できるように構成されている。また、燃料電池システムを設置し初期に水張りを行う場合は給水弁２１を開けて水タンク６に水を補給する。燃料電池システムが運転中に水タンク６内の水が不足した場合にも水位検知器１９で水が不足していることを検知し同様に水を補給することができる構成となっている。
【０００４】
ここで、水位検知はリードスイッチを内蔵したフロート式水位検知器が一般的に用いられ、浮き子であるフロートがステムをガイドとして水位に応じて上下動しリードスイッチをＯＮ／ＯＦＦする機構が用いられる。
【先行技術文献】
【特許文献】
【０００５】
【特許文献１】国際公開第２０１１／０９３０６６号
【発明の概要】
【発明が解決しようとする課題】
【０００６】
しかしながら、上記従来の構成では出荷時や設置時に水タンク内に給水される水に析出物が含まれていた場合、水抜き後に乾燥し水位検知器の一部に析出することで水位検知が正常に行えなくなる課題を有していた。特に、フロート式水位検知では析出物がステムに析出しフロートがこの析出物に引っかかることでフロートの上下動が阻害され水位の検知が正常に行えなくなる課題があった。或いは、水タンク内に給水される水に異物が含まれていた場合、異物が水位検知器に付着しフロートが引っかかることで水位検知が正常に行えなくなる課題があった。
【０００７】
本発明は上記従来の課題を解決するもので、給水される水に含まれる析出物（特にシリカ）や異物が水位検知器に析出・付着することで、水位検知器が正常に行われなくなることを回避する燃料電池システムを提供することを目的とする。
【課題を解決するための手段】
【０００８】
前記従来の課題を解決するために、本発明の燃料電池システムは、原料と酸素を含む酸化剤ガスとが供給されて発電が行われる燃料電池モジュールと、燃料電池モジュールに酸化剤ガスを供給する酸化剤ガス供給器と、燃料電池モジュールから排出される酸化剤排ガスを大気中に排出する排ガス流路と、排ガス中の水分が凝縮した凝縮水を貯える水タンクと、フロートを用いて水タンク内の水位を検知する水位検知器と、酸化剤ガス供給器を制御する制御器とを備える構成としたものである。制御器は、水が抜かれた水タンクに水の供給を開始した後、第１の時間経過した場合、又は、水位検知器が検知する水位が第２の時間経過しても上がらない場合に、酸化剤ガス供給器を動作させる特定動作（例えば、酸化剤ガス供給器の出力を調整し、水タンク内にかかる圧力を変動させる動作）を行うよう制御する。ここで、水位が上がらない場合とは、例えば、水位が第１の位置のまま動かずに上がらないため、水位検知器が第１の位置を検知し続けている場合、又は、水位が第２の位置より低い位置で動かず、水位検知器が第２の位置を検知しない場合を指す。
【０００９】
これによって、水タンク内の水面付近に水位検知器のフロートがあると考えられるときに、酸化剤ガス供給器を動作させることによって、水面を上下に揺らし、水位検知器のフロートが固着することを回避することができる。また、確実にフロートの固着を回避する目的で特定動作を行った後に第３時間経過した場合、又は、水位検知器が検知する水位が第４時間経過しても上がらない場合に、再度特定動作を行ってもよい。
また、本発明の燃料電池システムは、水タンクに水を供給する給水経路と、給水経路に設けられた流量計と、給水経路に設けられた弁とを備える構成としたものである。制御器は、水が抜かれた水タンクに所定の水量の水を供給した場合、又は、所定の水量の水を供給し、水位検知器が検知する水位が上がらない場合に、酸化剤ガス供給器を動作させる特定動作（例えば、酸化剤ガス供給器の出力を調整し、水タンク内にかかる圧力を変動させる動作）を行うよう制御する。ここで、水位が上がらない場合とは、例えば、水位が第１の位置のまま動かずに上がらないため、水位検知器が第１の位置を検知し続けている場合、又は、水位が第２の位置より低い位置で動かず、水位検知器が第２の位置を検知しない場合を指す。
これによって、水タンク内の水面付近に水位検知器のフロートがあると考えられるときに、酸化剤ガス供給器を動作させることによって、水面を上下に揺らし、水位検知器のフロートが固着することを回避することができる。また、確実にフロートの固着を回避する目的で特定動作を行った後に第３時間経過した場合、又は、水位検知器が検知する水位が第４時間経過しても上がらない場合に、再度特定動作を行ってもよい。
【発明の効果】
【００１０】
本発明の燃料電池システムは、フロートスイッチが固着することを回避できるので水タンクの水位を確実に検知することが可能となり、燃料電池システムを安定して起動させることができる。
【図面の簡単な説明】
【００１１】
【図１】本発明の実施の形態１における燃料電池システムのブロック図
【図２】本発明の実施の形態２における燃料電池システムのブロック図
【図３】従来の燃料電池システムの概略を示した構成図
【発明を実施するための形態】
【００１２】
第１の発明は原料と酸素を含む酸化剤ガスとが供給されて発電が行われる燃料電池モジ
ュールと、燃料電池モジュールに酸化剤ガスを供給する酸化剤ガス供給器と、燃料電池モジュールから排出される酸化剤排ガスを大気中に排出する排ガス流路と、排ガス中の水分が凝縮した凝縮水を貯える水タンクと、フロートを用いて水タンク内の水位を検知する水位検知器と、酸化剤ガス供給器を制御する制御器とを備える燃料電池システムである。
【００１３】
この構成において、制御器は水が抜かれた水タンクに水の供給を開始した後、第１の時間経過した場合、又は、水位検知器が検知する水位が第２の時間経過しても上がらない場合に、酸化剤ガス供給器を動作させる特定動作を行うよう制御することにより、水を抜いた水タンクに水を供給する際に、水位検知器のフロートが固着することを回避でき、水位を正常に検知することができる。より具体的には、水タンク内の水面付近に水位検知器のフロートがあると考えられるときに、酸化剤ガス供給器を動作させることによって、水面を上下に揺らし、水位検知器のフロートが固着することを回避できる。
【００１４】
ここで、水位が上がらない場合とは、例えば、水位が第１の位置のまま動かずに上がらないため、水位検知器が第１の位置を検知し続けている場合、又は、水位が第２の位置より低い位置で動かず、水位検知器が第２の位置を検知しない場合を指す。
【００１５】
第２の発明は、特に、第１の発明の水タンクに水を供給する給水経路と、給水経路に設けられた弁と、をさらに備える燃料電池システムである。
【００１６】
この構成により、給水経路に設けられた弁を開くことで水タンクに給水を行う場合においても、制御器は水が抜かれた水タンクに水の供給を開始した後、第１の時間経過した場合、又は、水位検知器が検知する水位が第２の時間経過しても上がらない場合に、酸化剤ガス供給器を動作させる特定動作を行うよう制御することにより、水を抜いた水タンクに水を供給する際に、水位検知器のフロートが固着することを回避でき、水位を正常に検知することができる。より具体的には、水タンク内の水面付近に水位検知器のフロートがあると考えられるときに、酸化剤ガス供給器を動作させることによって、水面を上下に揺らし、水位検知器のフロートが固着することを回避できる。
【００１７】
第３の発明は、原料と酸素を含む酸化剤ガスとが供給されて発電が行われる燃料電池モジュールと、燃料電池モジュールに酸化剤ガスを供給する酸化剤ガス供給器と、燃料電池モジュールから排出される酸化剤排ガスを大気中に排出する排ガス流路と、排ガス中の水分が凝縮した凝縮水を貯える水タンクと、フロートを用いて水タンク内の水位を検知する水位検知器と、酸化剤ガス供給器を制御する制御器と、水タンクに水を供給する給水経路と、給水経路に設けられた流量計と、給水経路に設けられた弁とを備える燃料電池システムである。
【００１８】
この構成において、制御器は水が抜かれた水タンクに所定の水量の水を供給した場合、又は、所定の水量の水を供給し、水位検知器が検知する水位が上がらない場合に、酸化剤ガス供給器を動作させる特定動作を行うよう制御することにより、水を抜いた水タンクに水を供給する際に、水位検知器のフロートが固着することを回避でき、水位を正常に検知することができる。より具体的には、水タンク内の水面付近に水位検知器のフロートがあると考えられるときに、酸化剤ガス供給器を動作させることによって、水面を上下に揺らし、水位検知器のフロートが固着することを回避できる。
【００１９】
ここで、水位が上がらない場合とは、例えば、水位が第１の位置のまま動かずに上がらないため、水位検知器が第１の位置を検知し続けている場合、又は、水位が第２の位置より低い位置で動かず、水位検知器が第２の位置を検知しない場合を指す。
【００２０】
第４の発明は、特に、第１〜３のいずれか１つの発明における特定動作が、酸化剤ガス
供給器の出力を調整し、水タンク内にかかる圧力を変動させる動作とすることにより、より有効に水面を上下に揺らすことができるため水を抜いた水タンクに水を供給する際に、水位検知器のフロートが固着することをより確実に回避でき、水位を正常に検知することができる。
【００２１】
第５の発明は、特に、第１〜４のいずれか１つの発明において、特定動作の後、第３時間経過した場合、又は、水位検知器が検知する水位が第４時間経過しても上がらない場合に、再度特定動作を行うことにより、水を抜いた水タンクに水を供給する際に、水位検知器のフロートが固着することをより確実に回避でき、水位を正常に検知することができる。
【００２２】
第６の発明は、原料と酸素を含む酸化剤ガスとが供給されて発電が行われる燃料電池モジュールと、燃料電池モジュールに酸化剤ガスを供給する酸化剤ガス供給器と、燃料電池モジュールから排出される酸化剤排ガスを大気中に排出する排ガス流路と、排ガス中の水分が凝縮した凝縮水を貯える水タンクと、フロートを用いて水タンク内の水位を検知する水位検知器と、を備える燃料電池システムの運転方法である。
【００２３】
この運転方法は、水タンクの水を抜くステップと、水が抜かれた水タンクに水を供給するステップと、水の供給を開始してから、第１の時間経過した場合、又は、水位検知器が検知する水位が第２の時間経過しても上がらない場合に、酸化剤ガス供給器を動作させる特定動作を行うステップとによって行われ、これにより水を抜いた水タンクに水を供給する際に、水位検知器のフロートが固着することを回避でき、水位を正常に検知することができる。より具体的には、水タンク内の水面付近に水位検知器のフロートがあると考えられるときに、酸化剤ガス供給器を動作させることによって、水面を上下に揺らし、水位検知器のフロートが固着することを回避できる。
【００２４】
第７の発明は、原料と酸素を含む酸化剤ガスとが供給されて発電が行われる燃料電池モジュールと、燃料電池モジュールに酸化剤ガスを供給する酸化剤ガス供給器と、燃料電池モジュールから排出される酸化剤排ガスを大気中に排出する排ガス流路と、排ガス中の水分が凝縮した凝縮水を貯える水タンクと、フロートを用いて水タンク内の水位を検知する水位検知器と、を備える燃料電池システムの運転方法である。
【００２５】
この運転方法は、水タンクの水を抜くステップと、水が抜かれた水タンクに所定の水量の水を供給するステップと、所定の水量の水を供給した場合、又は、所定の水量の水を供給し、水位検知器が検知する水位が上がらない場合に、酸化剤ガス供給器を動作させる特定ステップとによって行われ、これにより水を抜いた水タンクに水を供給する際に、水位検知器のフロートが固着することを回避でき、水位を正常に検知することができる。より具体的には、水タンク内の水面付近に水位検知器のフロートがあると考えられるときに、酸化剤ガス供給器を動作させることによって、水面を上下に揺らし、水位検知器のフロートが固着することを回避できる。
【００２６】
第８の発明は、特に、第６又は第７の発明における特定ステップが、酸化剤ガス供給器の出力を調整し、水タンク内にかかる圧力を変動させるステップとすることにより、より有効に水面を上下に揺らすことができるため水を抜いた水タンクに水を供給する際に、水位検知器のフロートが固着することをより確実に回避でき、水位を正常に検知することができる。
【００２７】
第９の発明は、特に、第６〜８のいずれか１つの発明において、特定ステップの後、第３時間経過した場合、又は、水位検知器が検知する水位が第４時間経過しても上がらない場合に、再度特定ステップを行うことにより、水を抜いた水タンクに水を供給する際に、
水位検知器のフロートが固着することをより確実に回避でき、水位を正常に検知することができる。
【００２８】
以下、本発明の実施の形態について、図面を参照しながら説明する。なお、この実施の形態によって本発明が限定されるものではない。
【００２９】
（実施の形態１）
図１は、本発明の実施の形態１における燃料電池システムのブロック図を示すものである。
【００３０】
図１において、燃料電池システムは、燃料ガスを用いて発電および発熱する燃料電池１０１と、燃料電池１０１のアノード（図示せず）に水素を供給する水素供給器１０２と、燃料電池１０１のカソード（図示せず）に酸化剤としての酸素（空気）を供給する空気供給器１０３と、原料ガス及び燃料電池１０１のアノードを通過した電気化学反応に用いられなかった燃料ガス（オフガス）をバーナーで燃焼させる燃焼器１０４と、燃料電池１０１のカソードを通過した後の酸化剤排ガスを大気中に排出する排ガス流路１０５と、酸化剤排ガスに含まれる水蒸気を凝縮させる排ガス熱交換器１０６と、凝縮された水を貯める水タンク１０７と、水タンク１０７内の水位を検知するフロート式水位検知器１０８と、空気供給器１０３の制御及びフロート式水位検知器１０８の出力を読み取る制御器１０９とで構成される。
【００３１】
以上のように構成された燃料電池システムについて、以下その動作、作用を説明する。
【００３２】
まず、燃料電池には水素供給器で生成された水素がアノードに供給されるとともに、空気供給器から酸化剤としての酸素（空気）がカソードに供給され、電気化学的に反応することで電力及び熱が発生する。アノードを通過した反応に用いられなかった燃料ガスは燃焼器へ送られバーナーで燃焼される。また、カソードを通過した排ガス空気は排ガス流路を通り大気中に排出される。その際、含まれる水蒸気を凝縮させるため排ガス熱交換器へ送られた後、一旦水タンク内に導入され、燃料電池システムの外に排出される。排ガス熱交換器で凝縮した水は水タンク内に貯められる。ここで、水タンクには一般的にフロート式水位検知器が設置されており、水タンクの水位を監視する構成がとられている。
【００３３】
以下、本実施の形態における燃料電池システムの具体的な効果について説明する。
【００３４】
上記のように構成された燃料電池システムにおいて、制御器は、水が抜かれた水タンクに水の供給を開始した後、第１の時間経過した場合、又は、水位検知器が検知する水位が第２の時間経過しても上がらない場合に、酸化剤ガス供給器を動作させる特定動作（例えば、酸化剤ガス供給器の出力を調整し、水タンク内にかかる圧力を変動させる動作）を行うよう制御する。ここで、水位が上がらない場合とは、例えば、水位が第１の位置のまま動かずに上がらないため、水位検知器が第１の位置を検知し続けている場合、又は、水位が第２の位置より低い位置で動かず、水位検知器が第２の位置を検知しない場合を指す。
【００３５】
これによって、水タンク内の水面付近に水位検知器のフロートがあると考えられるときに、酸化剤ガス供給器を動作させることによって、水面を上下に揺らし、水位検知器のフロートが固着することを回避することができる。また、確実にフロートの固着を回避する目的で特定動作を行った後に第３時間経過した場合、又は、水位検知器が検知する水位が第４時間経過しても上がらない場合に、再度特定動作を行ってもよい。
【００３６】
（実施の形態２）
図２は、本発明の実施の形態２における燃料電池システムのブロック図を示すものであ
る。
【００３７】
本実施の形態２の燃料電池システムは、図２に示すように、実施の形態１の構成において水タンク１０７に給水を行う給水経路１１０と、給水経路上に設けた弁１１１と、給水経路１１０を流れる流量を検知する流量計１１２とを追加した構成とする。また、制御器１０９は弁１１１の制御及び流量計１１２の出力の読み取りを行う。
【００３８】
以下、本実施の形態における燃料電池システムの具体的な効果について説明する。
上記のように構成された燃料電池システムにおいて、制御器は、水が抜かれた水タンクに所定の水量の水を供給した場合、又は、所定の水量の水を供給し、水位検知器が検知する水位が上がらない場合に、酸化剤ガス供給器を動作させる特定動作（例えば、酸化剤ガス供給器の出力を調整し、水タンク内にかかる圧力を変動させる動作）を行うよう制御する。ここで、水位が上がらない場合とは、例えば、水位が第１の位置のまま動かずに上がらないため、水位検知器が第１の位置を検知し続けている場合、又は、水位が第２の位置より低い位置で動かず、水位検知器が第２の位置を検知しない場合を指す。
これによって、水タンク内の水面付近に水位検知器のフロートがあると考えられるときに、酸化剤ガス供給器を動作させることによって、水面を上下に揺らし、水位検知器のフロートが固着することを回避することができる。また、確実にフロートの固着を回避する目的で特定動作を行った後に第３時間経過した場合、又は、水位検知器が検知する水位が第４時間経過しても上がらない場合に、再度特定動作を行ってもよい。なお、所定の水量の水が供給されたと判断する方法として流量計の積算値を用いることができる。また、弁の開時間から供給された水量を予測し判断することもできる。この場合、流量計はなくてもよい。
【産業上の利用可能性】
【００３９】
以上のように、本発明にかかる燃料電池システムは水タンクへ供給された水に含まれる析出物及び異物がフロート式水位検知器に析出又は付着し、フロートが固着しフロートの上下動を阻害されることにより水タンクの水位検知を正常に行えなくなる課題を空気供給器の出力制御で水面を揺らすことで解決し、燃料電池システムの安定な運転を実現できるので、家庭用または業務用及び定置式や移動式の燃料電池システム等の用途にも適用できる。
【符号の説明】
【００４０】
１  燃料電池システム
２  燃料電池
２ａ  燃料ガス内部流路
２ｂ  酸化剤ガス内部流路
３  水素生成器
３ａ  燃焼器
６  水タンク
１０  酸化剤ガス供給器
１１  酸化剤排ガス熱交換器
１９  水位検知器
２１  給水弁
１０１  燃料電池
１０２  水素供給器
１０３  酸化剤ガス供給器（空気供給器）
１０４  燃焼器
１０５  排ガス流路
１０６  排ガス熱交換器
１０７  水タンク
１０８  フロート式水位検知器
１０９  制御器
１１０  給水経路
１１１  弁
１１２  流量計
【図１】
2014137874.tif 000003
【図２】
2014137874.tif 000004
【図３】
2014137874.tif 000005